(57)【要約】  ＧＴＰベースのネットワーク及びＰＭＩＰベースのネットワークの間のインターワーキングを伴う３ＧＰＰ及び非３ＧＰＰアクセスをシステム及び方法が可能にする。ＵＥのハンドオーバアタッチメントのために、ＵＥの初期アタッチメントにおいて使用されたＰＧＷのアドレスをＩＷＰに提供することができ、それにより、例えば、ＵＥとの間で確立された継続中のデータ接続のためにＩＰアドレスを維持することができる。その代わりに、ＵＥとの全てのデータ接続のために同じＩＷＰがプロキシとして動作することができ、それにより、ＩＷＰは、初期アタッチメントについて使用されたＰＧＷを認識し、同じＰＧＷをハンドオーバについて再利用することができる。【選択図】図９
2013520064.tif 000002
【特許請求の範囲】
【請求項１】
プロキシモバイルＩＰ（ＰＭＩＰ）ベースのネットワークとＧＰＲＳトンネリングプロトコル（ＧＴＰ）ベースのネットワークとの間でインターワーキングするための方法であって、
インターワーキングプロキシ機能（ＩＷＰ）によって、前記ＰＭＩＰベースのネットワーク及び前記ＧＴＰベースのネットワークのうち訪問先の方へのユーザ機器の接続のために、前記ＰＭＩＰベースのネットワーク及び前記ＧＴＰベースのネットワークのうちホームの方におけるパケットゲートウェイ（ＰＧＷ）の前記ＩＷＰによる選択を含む初期アタッチプロセスを実行することと、
前記初期アタッチプロセスの際に前記ＩＷＰと前記ＰＧＷとの間で確立される接続を維持し及び再利用することにより、前記ＩＷＰによって、同じ前記ＰＧＷを用いて、前記ＰＭＩＰベースのネットワーク及び前記ＧＴＰベースのネットワークのうち前記訪問先の方における前記ユーザ機器に関連付けられるハンドオーバアタッチプロセスを実行することと、
を含む方法。
【請求項２】
前記ＩＷＰによって、前記ＰＭＩＰベースのネットワークと前記ＧＴＰベースのネットワークとの間のシグナリング及び前記ＰＭＩＰベースのネットワークと他のＰＭＩＰベースのネットワークとの間のシグナリングの双方を含む前記ユーザ機器についての何らかのパケットデータ接続に関連付けられるシグナリングを受信すること、
をさらに含む、請求項１の方法。
【請求項３】
前記ハンドオーバアタッチプロセスを実行する前記ステップは、
前記ＩＷＰによって、前記ユーザ機器のデータ接続と前記ＰＧＷとの間の関連付けを更新するために、前記ＰＭＩＰベースのネットワーク及び前記ＧＴＰベースのネットワークのうち前記ホームの方における認証、承認及びアカウンティング（ＡＡＡ）サーバに向けて、前記ＩＷＰに関連付けられるアドレスを含む信号を送信すること、
をさらに含む、請求項１の方法。
【請求項４】
前記ハンドオーバアタッチプロセスを実行する前記ステップは、
前記ＩＷＰによって、前記ＰＧＷに関連付けられるアドレスを含まない、前記ハンドオーバアタッチプロセスに関連付けられるセッション生成要求メッセージ、を受信すること、
をさらに含む、請求項１の方法。
【請求項５】
前記ハンドオーバアタッチプロセスを実行する前記ステップは、前記ＩＷＰの外部の信号から前記ＰＧＷのアドレスを受信することなく実行される、請求項１の方法。
【請求項６】
プロキシモバイルＩＰ（ＰＭＩＰ）ベースのネットワークとＧＰＲＳトンネリングプロトコル（ＧＴＰ）ベースのネットワークとの間でインターワーキングを実行するためのインターワーキングプロキシ機能（ＩＷＰ）ノードであって、
前記ＰＭＩＰベースのネットワーク及び前記ＧＴＰベースのネットワークのうち訪問先の方へのユーザ機器の接続のために、前記ＰＭＩＰベースのネットワーク及び前記ＧＴＰベースのネットワークのうちホームの方におけるパケットゲートウェイ（ＰＧＷ）の選択を含む初期アタッチプロセスに関連付けられる機能を実行するように構成され、前記初期アタッチプロセスの際に前記ＩＷＰと前記ＰＧＷとの間で確立される接続を維持し及び再利用することにより、同じ前記ＰＧＷを用いて、前記ＰＭＩＰベースのネットワーク及び前記ＧＴＰベースのネットワークのうち前記訪問先の方における前記ユーザ機器のためのハンドオーバアタッチプロセスに関連付けられる機能を実行するようにさらに構成されるプロセッサ、
を備えるノード。
【請求項７】
前記ＩＷＰは、
前記ＰＭＩＰベースのネットワークと前記ＧＴＰベースのネットワークとの間のシグナリング及び前記ＰＭＩＰベースのネットワークと他のＰＭＩＰベースのネットワークとの間のシグナリングの双方を含む前記ユーザ機器についての何らかのパケットデータ接続に関連付けられるシグナリングを受信するように構成される少なくとも１つのインタフェース、
をさらに備える、請求項６のＩＷＰノード。
【請求項８】
前記プロセッサは、
前記ユーザ機器のデータ接続と前記ＰＧＷとの間の関連付けを更新するために、前記ＰＭＩＰベースのネットワーク及び前記ＧＴＰベースのネットワークのうち前記ホームの方における認証、承認及びアカウンティング（ＡＡＡ）サーバに向けて、前記ＩＷＰに関連付けられるアドレスを含む信号を送信するようにさらに構成される、請求項６のＩＷＰノード。
【請求項９】
前記ＰＧＷに関連付けられるアドレスを含まない、前記ハンドオーバアタッチプロセスに関連付けられるセッション生成要求メッセージ、を受信するように構成されるインタフェース、
をさらに備える、請求項６のＩＷＰノード。
【請求項１０】
前記ハンドオーバアタッチプロセスは、前記ＩＷＰの外部の信号から前記ＰＧＷのアドレスを受信することなく実行される、請求項６の方法。
【請求項１１】
プロキシモバイルＩＰ（ＰＭＩＰ）ベースのネットワークとＧＰＲＳトンネリングプロトコル（ＧＴＰ）ベースのネットワークとの間でインターワーキングするための方法であって、
インターワーキングプロキシ機能（ＩＷＰ）によって、前記ＰＭＩＰベースのネットワーク及び前記ＧＴＰベースのネットワークのうち前記ホームの方における、前記ユーザ機器のための初期アタッチプロセスについて使用されたものと同じＰＧＷを、前記ＩＷＰにおいて当該ＰＧＷに関連付けられるアドレスを外部信号を介して受信することにより用いて、前記ＰＭＩＰベースのネットワーク及び前記ＧＴＰベースのネットワークのうち訪問先の方において動作する前記ユーザ機器に関連付けられるハンドオーバアタッチプロセスを実行すること、
を含む方法。
【請求項１２】
前記ＰＧＷに関連付けられる前記アドレスを外部信号を介して受信する前記ステップは、
前記ＩＷＰによって、前記外部信号として、前記ＰＧＷに関連付けられる前記アドレスを含む、前記ハンドオーバアタッチプロセスに関連付けられるセッション生成要求メッセージを受信すること、
をさらに含む、請求項１１の方法。
【請求項１３】
前記ＩＷＰによって、前記アドレスを用いて前記ＰＧＷに向けてプロキシバインディング更新メッセージを送信すること、
をさらに含む、請求項１２の方法。
【請求項１４】
前記ＰＧＷに関連付けられる前記アドレスを外部信号を介して受信する前記ステップは、
前記ＩＷＰによって、前記ＰＧＷに関連付けられる前記アドレスを取得する要求を送信することと、
前記ＩＷＰによって、前記アドレスを含む応答を前記外部信号として受信することと、
をさらに含む、請求項１１の方法。
【請求項１５】
前記ＩＷＰによって、前記アドレスを用いて前記ＰＧＷに向けてプロキシバインディング更新メッセージを送信すること、
をさらに含む、請求項１４の方法。
【請求項１６】
プロキシモバイルＩＰ（ＰＭＩＰ）ベースのネットワークとＧＰＲＳトンネリングプロトコル（ＧＴＰ）ベースのネットワークとの間でインターワーキングを実行するためのインターワーキングプロキシ機能（ＩＷＰ）ノードであって、
前記ユーザ機器のための初期アタッチプロセスについて使用されたものと同じＰＧＷを、前記ＩＷＰにおいて当該ＰＧＷに関連付けられるアドレスを外部信号を介して受信することにより用いて、前記ＰＭＩＰベースのネットワーク及び前記ＧＴＰベースのネットワークのうち訪問先の方における前記ユーザ機器のためのハンドオーバアタッチプロセスに関連付けられる機能を実行するように構成されるプロセッサ、
を備えるノード。
【請求項１７】
前記プロセッサは、前記外部信号として、前記ＰＧＷに関連付けられる前記アドレスを含む、前記ハンドオーバアタッチプロセスに関連付けられるセッション生成要求メッセージを受信するようにさらに構成される、請求項１６のＩＷＰノード。
【請求項１８】
前記プロセッサは、前記アドレスを用いて前記ＰＧＷに向けてプロキシバインディング更新メッセージを送信するようにさらに構成される、請求項１７のＩＷＰノード。
【請求項１９】
前記プロセッサは、前記ＰＧＷに関連付けられる前記アドレスを取得する要求を送信し、前記アドレスを含む応答を前記外部信号として受信する、ようにさらに構成される、請求項１６のＩＷＰノード。
【請求項２０】
前記プロセッサは、前記アドレスを用いて前記ＰＧＷに向けてプロキシバインディング更新メッセージを送信するようにさらに構成される、請求項１９のＩＷＰノード。
【発明の詳細な説明】
【技術分野】
【０００１】
本出願は、一般に３ＧＰＰアクセスに関し、より具体的には、無線通信システム間のインターワーキングに関する。
【背景技術】
【０００２】
過去数年の間、移動体及び地上線（landline）／有線（wireline）コンピューティングデバイスを使用することへの興味が増加してきた。デスクトップコンピュータ、ワークステーション及びその他の有線コンピュータは、現在、例えば電子メール、ビデオ会議及びインスタントメッセージ（ＩＭ）などを介して、ユーザがコミュニケーションすることを可能とする。例えばモバイル電話、ハンドヘルドコンピュータ、ＰＤＡ（Personal  Digital  Assistants）などのモバイルデバイスもまた、電子メール、ビデオ会議及びＩＭなどを介してユーザがコミュニケーションすることを可能とする。モバイル電話は、従来は音声通信デバイスとして供されてきたが、技術の発展を通じて、最近ではデータやグラフィックなどを通信するために有用となった。様々なプラットフォームにわたるシームレスな通信についてのユーザのデマンドは増加し、それにより用途が広がってより多くのサービス及びシステムの改善がもたらされているため、無線及び地上線の技術は、そうしたデマンドのサポートにおいてより一元的な通信システムへ統合され続けるであろう。
【０００３】
顧客のデマンドのサポートにおいて、デバイス、ノード及びネットワーク間で情報を伝達し及び／又は要求するために、様々なシステム及び方法が使用されてきた。特に、データ又はＩＰ接続についてのデマンドは、急上昇を続けている。例えば、固定及びモバイルネットワーク上のインターネット人口の急速な増加に伴い、多くのネットワーキングシステムは、より多くのデータを処理し、より多くの帯域幅を提供し、システム自体の現存するケイパビリティに与える悪影響を最小化しつつシステムにより多くの特長を素早く取り入れなければならないことが多い。関心のある多くの他の技術の中でも、例えばＩＰ接続などのデータ接続を提供するネットワーク間のモビリティは、強く望まれている。
【０００４】
３ＧＰＰ（Third  Generation  Partnership  Project）は、プロキシモバイルＩＰ−ＧＰＲＳトンネリングプロトコル（ＰＭＩＰ−ＧＴＰ）のプロキシ手続の拡張を追求している。ＰＭＩＰは、ＩＥＴＦにより標準化された、ＩＰ接続のためのネットワークベースのモビリティ管理プロトコルであり、例えば３ＧＰＰベースの無線通信システムにより使用される。ＧＴＰは、関連するプロトコルであり、例えばＧＳＭ及びＷＣＤＭＡシステムにおいてＩＰ接続に関連付けられるモビリティ管理のために使用される。予想されている点として、ＩＰ接続のモビリティのために、いくつかの無線通信システムはＰＭＩＰを採用し、他の無線通信システムはＧＴＰを採用することになるであろう。よって、（以下に特定される）様々な３ＧＰＰ標準文書において仕様化されたＰＭＩＰ−ＧＴＰプロキシ手続は、例えば従来型の図１に示したようなネットワークが互いに隣接して位置するような場合に、ＰＭＩＰベースのＰＬＭＮ（Public  Land  Mobile  Network）がＧＴＰベースのＰＬＭＮとインターワーキングするための技術を提供する。図中で、第１のネットワーク１００はそのＩＰ接続のモビリティプロトコルのためにＧＴＰを使用し、第２のネットワーク１０２はそのＩＰ接続のモビリティプロトコルのためにＰＭＩＰを使用する。例えば、ユーザ機器（ＵＥ）１０４が継続中のＩＰ接続を有しつつネットワーク１００からネットワーク１０２へ移動すると、これら２つのネットワークが異なるＩＰモビリティプロトコルを使用しているという事実に関わらず、当該接続がシームレスに維持されることが望ましいであろう。
【０００５】
第１のネットワーク１００及び第２のネットワーク１０２において関係する従来型のノードのいくつかが、図２に示されている。それらノードは、Ｅ−ＵＴＲＡＮに向けたインタフェースを終端させるゲートウェイであるサービングゲートウェイ（ＳＧＷ）２００、パケットデータネットワーク（ＰＤＮ）に向けたＵＥのＩＰセッションを終端させるゲートウェイであるＰＤＮゲートウェイ（ＰＧＷ）２０２、及び、ＧＴＰベースの訪問先ネットワークとＰＭＩＰベースのホームネットワークとの間、又はＯＭＩＰベースの訪問先ネットワークとＧＴＰベースのホームネットワークとの間のゲートウェイであるインターワーキングプロキシ（ＩＷＰ）２０４を含む。ＩＷＰ２０４は、ＧＴＰシグナリングと共にＰＭＩＰシグナリングのプロキシとして働き、ＧＴＰトンネル及びＰＭＩＰトンネルの間でＵＥペイロードパケットの転送もする。非３ＧＰＰアクセスゲートウェイ（ＡＧＷ）２０６は、非３ＧＰＰネットワークから３ＧＰＰネットワークへのアクセスをハンドリングする。モビリティ管理エンティティ（ＭＭＥ）２０８は、ＵＥモビリティ管理、認証、承認、ローミング、ＰＤＮ  ＧＷ及びサービングＧＷ選択などを含む様々な機能を実行する。ホーム加入者サーバ（ＨＳＳ）２１０は、加入者及びそのＵＥについての様々な情報を記憶し、３ＧＰＰ  ＡＡＡプロキシサーバ２１２及び３ＧＰＰ  ＡＡＡサーバ２１４は、ネットワークアクセスに関連付けられる様々な認証及び承認機能を提供する。
【０００６】
ここで議論されるインターワーキングのシナリオがいずれの方向においても動作可能であることが理解されるであろう。即ち、図２の左側はＰＭＩＰベースの訪問先ネットワーク又はＧＴＰベースの訪問先ネットワークを表現し、そして図２の右側は他のタイプのネットワーク、即ちＧＴＰベースのホームネットワーク又はＰＭＩＰベースのホームネットワークをそれぞれ表現し得る。よって、図２に示した参照番号のスキームは、ＰＭＩＰベースのネットワーク又はＧＴＰベースのネットワークのいずれかに属し得る同様のノードについてここで使い回される。３ＧＰＰアクセスについて、２つのインターワーキングシナリオが対象となる：訪問先ネットワーク内のＰＭＩＰベースのサービングゲートウェイ（ＳＧＷ）２００がインターワーキングプロキシ機能（ＩＷＰ）２０４を介してホームネットワーク内のＧＴＰベースのパケットデータネットワークゲートウェイ（ＰＧＷ）２０２と通信することができる；訪問先ネットワーク内のＧＴＰベースのＳＧＷ２００がＩＷＰ２０４を介してホームネットワーク内のＰＭＩＰベースのＰＧＷ２０２と通信することができる。非３ＧＰＰアクセスについては、１つのインターワーキングシナリオが対象となり、非３ＧＰＰアクセスゲートウェイが、連結されたＳＧＷを介し、及びインターワーキングプロキシ機能（ＩＷＰ）２０４を介して、ホームＰＬＭＮと接続され得る。
【０００７】
標準文書３ＧＰＰ  ＴＳ２３．４０１において仕様化されているように、ＰＧＷの選択は、最初のアタッチメントについてモビリティ管理エンティティ（ＭＭＥ）２０８により実行される。その代わりに、ＰＧＷの選択は、前回のアタッチメントからＰＧＷ情報が記憶されていた場合には、ホーム加入者サーバ（ＨＳＳ）２１０により認証手続の間に実行されてもよい。アタッチメントの後、ＭＭＥ２０８は、選択されたＰＧＷ情報をＨＳＳ２１０に向けて更新することになる。
【０００８】
標準文書３ＧＰＰ  ＴＳ２９．８７５において仕様化されているように、ＩＷＰアドレスは、ＤＮＳ内で、特定のアクセスポイントノード（ＡＰＮ）のためのＰＧＷアドレスとして静的に構成される。認証手続の間に、ＩＷＰアドレスは、ＰＧＷアドレスとしてＭＭＥ２０８へ送信される。そして、ＩＷＰ２０４は、ＳＧＷ２００から受信したＡＰＮに基づいて、ＰＧＷアドレスを解決しなければならない。前回のアタッチメント又は静的な構成に起因してＨＳＳ２１０内に記憶されたＰＧＷアドレス情報が存在する場合には、ＰＧＷ情報は、ＩＷＰ２０４へ伝達され得ない。
【０００９】
非３ＧＰＰアクセスのシナリオについて、３ＧＰＰ  ＴＳ２３．４０２において仕様化されているように、ＰＧＷの選択は、最初のアタッチメントについて非３ＧＰＰアクセスＧＷ２０６により実行され、又は、前回のアタッチメントからＰＧＷ情報が記憶されていた場合には、ＨＳＳ／ＡＡＡ２１０、２１４により認証手続の間に実行される。連結されている（chained）ケースについては、ＳＧＷアドレス及びＰＧＷアドレスの双方が、認証手続の間の非３ＧＰＰアクセスＧＷ２０６へ送信され得る。アタッチメントの後、ＰＧＷ２０２は、ＨＳＳ／ＡＡＡ２１０、２１４において記憶されているＰＧＷ情報をＳ６ｂインタフェース上で更新する。３ＧＰＰ  ＡＡＡプロキシサーバ２１２及び３ＧＰＰ  ＡＡＡサーバ２１４の動作は、以下にさらに説明される。これらシナリオは、３ＧＰＰアクセスのケースに関して、具体的にはインターワーキングプロセスの一部としてのＰＧＷ２０２の選択に関して、様々な困難性を突きつける。
【００１０】
例えば標準文書３ＧＰＰ  ＴＳ２３．４０１、２３．４０２及び２９．８７５において説明されているような、既存のＰＭＩＰ−ＧＴＰのインターワーキングの機能性を使用することに関連付けられるそうした困難性を例示するために、そうしたインターワーキングに関連付けられる従来型の例示的なシグナリングが図３に示されている。図中で、ステップ３００において、ＳＧＷの選択が３ＧＰＰ  ＡＡＡプロキシサーバ２１２により実行される。そして、ＳＧＷアドレスが３ＧＰＰ  ＡＡＡプロキシサーバ２１２から非３ＧＰＰアクセスＧＷ２０６へ提供される。ＩＷＰ２０４のアドレスもまた、３ＧＰＰ  ＡＡＡプロキシサーバ２１２によって非３ＧＰＰアクセスＧＷ２０６へＰＧＷ識別情報（identity）として提供される。
【００１１】
ステップ／信号３０２において、ＩＷＰアドレスは、プロキシバインディング更新（ＰＢＵ）上で、ＳＧＷ２０８へＰＧＷ識別情報として送信される。そして、ＳＧＷ２０８は、ＩＷＰアドレスをＰＢＵ信号３０４についてのＬＭＡアドレスとして使用する。ＩＷＰ２０４はＰＧＷ情報を何も持っていないため、ＩＷＰは、インターワーキングのためにどのＰＧＷ２０２を使用すべきかの選択を実行しなければならない。ＰＧＷ２０２が選択された後、ＩＷＰ２０４は、選択されたＰＧＷ２０２へ、セッション生成要求（Create  Session  Request）メッセージ３０６を送信する。
【００１２】
ステップ／信号３０８において、ペイロードトンネルが生成された後に、３ＧＰＰ  ＴＳ２３．４０１及び３ＧＰＰ  ＴＳ２３．４０２において説明されているように、ＰＧＷ２０２は、その識別情報で３ＧＰＰ  ＡＡＡサーバ２１４を更新するように振る舞う。すると、３ＧＰＰ  ＡＡＡサーバ２１４は、訪問先ネットワークへ移動しつつある接続を有するＵＥについて、その情報をＨＳＳ２１０へ搬送する。ＧＴＰセッションが一度ＰＧＷ２０２とＩＷＰ２０４との間で生成されると、ＧＴＰ応答メッセージ３１０がＩＷＰ２０４へ返却され、ＰＭＩＰ応答メッセージ３１２がトリガされることになり、これがＳＧＷ２０８へ、さらにＰＢＡ３１４を介して非３ＧＰＰアクセスＧＷ２０６へ返送されるプロキシバインディング確認（ＰＢＡ）として図示されており、こうしたプロセスによって、ＩＷＰ２０４と非３ＧＰＰアクセスＧＷ２０６との間でＰＭＩＰトンネルが生成される。
【００１３】
図３に示したインターワーキングプロセスは、ある欠点を有する。例えば、セッション生成要求メッセージ３０６をどこへ送信すべきかを決定するためにＩＷＰ２０４がＰＧＷの選択を実行することから、ある状況下ではその時点のＰＧＷ２０２においてセッションが終端されない可能性があることを、当業者であれば理解するであろう。セッションを終端させることの失敗は、いくつかのパケットデータサービスに悪影響を与えることになる。さらに、ステップ／信号３０８において示したように、ＨＳＳ／ＡＡＡサーバ２１０、２１４に向けて自身の識別情報を更新するＰＧＷ２０２は、ステップ３００において非３ＧＰＰアクセスＧＷ２０６へ提供されるはずのＩＷＰアドレス情報を上書きするように作用するであろう。これにより、このインターワーキングシナリオに関与するＵＥが再び非３ＧＰＰアクセスＧＷ２０６にアタッチし又はＵＥが追加的なＰＤＮ接続を開始する場合に、手続全体を機能不全に陥らせ得る。
【００１４】
この問題を回避するために、ステップ／信号３０８を省略することも可能であり得る。しかしながら、それが行われると、ＩＷＰ２０４は、毎回ＰＧＷの選択を実行しなければならないであろう。言い換えれば、ＵＥが連続する試行について同じＰＧＷ２０２に接続するという保証がなくなり、やはりいくつかのパケットデータ又はＩＰサービスに悪影響が及びかねない。
【００１５】
従って、上述した問題を未然に防ぎ又は軽減するシステム及び方法が提供されることが望ましいであろう。
【発明の概要】
【発明が解決しようとする課題】
【００１６】
ＧＴＰベースのネットワーク及びＰＭＩＰベースのネットワークの間のインターワーキングを伴う３ＧＰＰ及び非３ＧＰＰアクセスをシステム及び方法が可能にする。ＵＥのハンドオーバアタッチメントのために、ＵＥの初期アタッチメントにおいて使用されたＰＧＷのアドレスをＩＷＰに提供することができ、それにより、例えば、ＵＥとの間で確立された継続中のデータ接続のためにＩＰアドレスを維持することができる。その代わりに、ＵＥとの全てのデータ接続のために同じＩＷＰがプロキシとして動作することができ、それにより、ＩＷＰは、初期アタッチメントについて使用されたＰＧＷを認識し、同じＰＧＷをハンドオーバについて再利用することができる。
【課題を解決するための手段】
【００１７】
ある実施形態によれば、プロキシモバイルＩＰ（ＰＭＩＰ）ベースのネットワークとＧＰＲＳトンネリングプロトコル（ＧＴＰ）ベースのネットワークとの間でインターワーキングするための方法は、インターワーキングプロキシ機能（ＩＷＰ）によって、上記ＰＭＩＰベースのネットワーク及び上記ＧＴＰベースのネットワークのうち訪問先の方へのユーザ機器の接続のために、上記ＰＭＩＰベースのネットワーク及び上記ＧＴＰベースのネットワークのうちホームの方におけるパケットゲートウェイ（ＰＧＷ）の上記ＩＷＰによる選択を含む初期アタッチプロセスを実行するステップと、上記初期アタッチプロセスの際に上記ＩＷＰと上記ＰＧＷとの間で確立される接続を維持し及び再利用することにより、上記ＩＷＰによって、同じ上記ＰＧＷを用いて、上記ＰＭＩＰベースのネットワーク及び上記ＧＴＰベースのネットワークのうち上記訪問先の方における上記ユーザ機器に関連付けられるハンドオーバアタッチプロセスを実行するステップと、を含む。
【００１８】
別の実施形態によれば、プロキシモバイルＩＰ（ＰＭＩＰ）ベースのネットワークとＧＰＲＳトンネリングプロトコル（ＧＴＰ）ベースのネットワークとの間でインターワーキングを実行するためのインターワーキングプロキシ機能（ＩＷＰ）ノードは、上記ＰＭＩＰベースのネットワーク及び上記ＧＴＰベースのネットワークのうち訪問先の方へのユーザ機器の接続のために、上記ＰＭＩＰベースのネットワーク及び上記ＧＴＰベースのネットワークのうちホームの方におけるパケットゲートウェイ（ＰＧＷ）の選択を含む初期アタッチプロセスに関連付けられる機能を実行するように構成され、上記初期アタッチプロセスの際に上記ＩＷＰと上記ＰＧＷとの間で確立される接続を維持し及び再利用することにより、同じ上記ＰＧＷを用いて、上記ＰＭＩＰベースのネットワーク及び上記ＧＴＰベースのネットワークのうち上記訪問先の方における上記ユーザ機器のためのハンドオーバアタッチプロセスに関連付けられる機能を実行するようにさらに構成されるプロセッサ、を備える。
【００１９】
別の実施形態によれば、プロキシモバイルＩＰ（ＰＭＩＰ）ベースのネットワークとＧＰＲＳトンネリングプロトコル（ＧＴＰ）ベースのネットワークとの間でインターワーキングするための方法は、インターワーキングプロキシ機能（ＩＷＰ）によって、上記ＰＭＩＰベースのネットワーク及び上記ＧＴＰベースのネットワークのうち上記ホームの方における、上記ユーザ機器のための初期アタッチプロセスについて使用されたものと同じＰＧＷを、上記ＩＷＰにおいて当該ＰＧＷに関連付けられるアドレスを外部信号を介して受信することにより用いて、上記ＰＭＩＰベースのネットワーク及び上記ＧＴＰベースのネットワークのうち訪問先の方において動作する上記ユーザ機器に関連付けられるハンドオーバアタッチプロセスを実行するステップ、を含む。
【００２０】
別の実施形態によれば、プロキシモバイルＩＰ（ＰＭＩＰ）ベースのネットワークとＧＰＲＳトンネリングプロトコル（ＧＴＰ）ベースのネットワークとの間でインターワーキングを実行するためのインターワーキングプロキシ機能（ＩＷＰ）ノードは、上記ユーザ機器のための初期アタッチプロセスについて使用されたものと同じＰＧＷを、上記ＩＷＰにおいて当該ＰＧＷに関連付けられるアドレスを外部信号を介して受信することにより用いて、上記ＰＭＩＰベースのネットワーク及び上記ＧＴＰベースのネットワークのうち訪問先の方における上記ユーザ機器のためのハンドオーバアタッチプロセスに関連付けられる機能を実行するように構成されるプロセッサ、を備える。
【００２１】
［略語／アクロニム］
３ＧＰＰ    第３世代パートナーシッププロジェクト
ＡＡＡ      認証、承認及びアカウンティング
ＡＰＮ      アクセスポイントノード
ＤＮＳ      ドメインネームサーバ
ＧＳＭ      モバイル通信のためのグローバルシステム
ＧＴＰ      ＧＰＲＳトンネリングプロトコル
ＧＷ        ゲートウェイ
ｈＰＬＭＮ  ホームＰＬＭＮ
ＨＳＳ      ホーム加入者サーバ
ＩＷＰ      インターワーキングプロキシ機能
ＭＭＥ      モビリティ管理エンティティ
ＰＤＮ      パケットデータネットワーク
ＰＧＷ      パケットゲートウェイ
ＰＬＭＮ    公衆地上モバイルネットワーク
ＰＭＩＰ    プロキシモバイルＩＰ
ＳＧＷ      サービングゲートウェイ
ＴＳ        技術仕様
ＷＣＤＭＡ  広帯域符号分割多重アクセス
ＵＥ        ユーザ機器
ｖＰＬＭＮ  訪問先ＰＬＭＮ
【図面の簡単な説明】
【００２２】
これより、次の添付図面を参照しながら、単に例示の手法で本発明の実施形態を説明する。
【００２３】
【図１】従来型のＰＭＩＰベースのＰＬＭＮに隣接する従来型のＧＴＰベースのＰＬＭＮを示している。
【図２】インターワーキングプロキシ機能を介して接続される隣接するネットワークに関連付けられる従来型のアーキテクチャを示している。
【図３】従来型の手続に従ったインターワーキングを例示するシグナリング図である。
【図４】第１の実施形態に従ったインターワーキングを例示するシグナリング図である。
【図５】第２の実施形態に従ったインターワーキングを例示するシグナリング図である。
【図６】図５の実施形態のサポートにおける図２のアーキテクチャの修正を示している。
【図７】全てのデータ接続がインターワーキングプロキシ機能を通じてルーティングされるという第３の実施形態に関連付けられるアーキテクチャを示している。
【図８】全てのデータ接続がインターワーキングプロキシ機能を通じてルーティングされるという第３の実施形態に関連付けられるアーキテクチャを示している。
【図９】第３の実施形態に従ったインターワーキングを例示するシグナリング図である。
【図１０】一実施形態に係る例示的なインターワーキングプロキシ機能（ＩＷＰ）ノードを示している。
【図１１】実施形態に従ってインターワーキングするための方法を例示するフローチャートである。
【図１２】実施形態に従ってインターワーキングするための方法を例示するフローチャートである。
【発明を実施するための形態】
【００２４】
本発明は、３ＧＰＰネットワーク内のノードへの接続のためのシステム及び方法を対象とする。
【００２５】
以下では、添付図面に沿って付番される特定のエレメントへの言及がなされ得る。以下の議論は、本発明の範囲を限定するものではなく、本来的に例示のものとして受け取られるべきである。本発明の範囲は、特許請求の範囲において定義されており、以下に説明される実装の詳細によって限定されるものとみなされるべきでない。実装の詳細は、当業者には理解されるように、とりわけ、エレメントを等価の機能エレメントに置き換えることによって修正されることができる。
【００２６】
本明細書を通じて、“１つの実施形態”又は“一実施形態”という言及は、実施形態に関連して説明される特定の特徴、構造又は特性が本発明の少なくとも１つの実施形態に含まれることを意味する。よって、本明細書を通じた様々な場所での“１つの実施形態において”又は“一実施形態において”とのフレーズの出現は、必ずしも全て同じ実施形態へ言及しているわけではない。さらに、特定の特徴、構造又は特性は、１つ以上の実施形態において何らかの適切なやり方で組み合わされてもよい。
【００２７】
以降の議論において、インターワーキングアーキテクチャにおける追加的なパラメータ又は追加的なインタフェースの使用を通じて、上で概観した問題を未然に防ぎ又は軽減する仕組みを提供する本発明の実施形態が呈示される。さらに、ここで説明される実施形態は１つの方向でのモビリティの観点で議論され、即ち特定のＵＥについてＧＴＰベースのネットワークが訪問先ＰＬＭＮであって、当該ＵＥが自身のホームＰＬＭＮとしてＰＭＩＰベースのネットワークを有するが、これら実施形態は他の方向、即ちＧＴＰベースのホームネットワークからＰＭＩＰベースの訪問先ネットワークへ、という方向でのモビリティにも同等に適用される。
【００２８】
第１の実施形態において、特定のＵＥのＩＰ接続モビリティに関連付けられるＩＷＰアドレス及びＰＧＷアドレスは、３ＧＰＰ  ＡＡＡサーバ２１４内にそれらアドレスを記憶することにより保存される。３ＧＰＰ  ＡＡＡサーバ２１４は、よって、ハンドオーバアタッチプロセスの一部として、ＩＷＰ２０４へＵＥのその時点のデータ接続のためにＰＧＷアドレスを提供することができ、それにより、ＵＥは、同じＰＧＷ２０２を通じて自身のデータ接続を継続し、継続中のデータ接続について同じＩＰアドレスを維持することができる。
【００２９】
この第１の実施形態に関連付けられるシグナリングの例が、図４として提供されており、１つ以上の実施形態に従って動作するノードを示すダッシュ記号が追加されていることを除いて、図２に関して上述したノードの参照番号が再度使用されている。そこでは、例えばＧＴＰベースの訪問先ネットワークにローミングしている最中にＵＥの電源が入れられた場合などに発生する、初期アタッチメントプロセス４００の間に、３ＧＰＰ  ＡＡＡサーバ２１４´は、ＵＥ１０４を認証して、シグナリング４０２を介してＭＭＥ２０８´へ認証情報を提供する。ＭＭＥ２０８´は、インターワーキングの目的のために使用すべきＩＷＰ２０４´を選択し、その情報を使用してセッション生成要求（Create  Session  Request）信号４０４を生成し、ＳＧＷ２００´に向けて送信する。信号４０４は、ＩＷＰ２０４´についてのＩＷＰアドレスを含む。
【００３０】
ＳＧＷ２００´は、受信後に、ＭＭＥ２０８´から受信したＩＷＰアドレスを用いて、ＩＷＰ２０４´に向けて、対応するセッション生成要求信号４０６を送信する。本実施形態において、ＩＷＰ２０４´は、インターワーキングのために使用すべきＰＧＷ２０２´を選択し、当該ＰＧＷ２０２´に向けて、ＵＥ１０４´のローミングＩＰ接続についてホームネットワークとのＰＭＩＰトンネルをセットアップするために、プロキシバインディング更新（ＰＢＵ：Proxy  Binding  Update）を送信する。ＰＧＷ２０２´は、当該ＰＧＷのアドレス、ＳＧＷ２００´のアドレス、及び信号ＰＢＵ４０８を送信したＩＷＰ２０４´のアドレスを含む信号４１０を介して、３ＧＰＰ  ＡＡＡサーバ２１４´を更新する。３ＧＰＰ  ＡＡＡサーバ２１４´は、ＵＥ１０４´のローミングＩＰ接続に関連付けられる信号４１０を介して受信されるＰＧＷアドレス、ＳＧＷアドレス、及びＩＷＰアドレスを、以下に説明する同じＵＥ１０４に関連付けられるハンドオーバアタッチメントプロセスの際の来たるべき後の再利用のために記憶する。
【００３１】
ＰＧＷ２０２´は、ＩＷＰ２０４´へプロキシバインディング確認（ＰＢＡ：Proxy  Binding  Acknowledgement）信号４１２を返却し、ＩＷＰ２０４´は、ＳＧＷ２００へセッション生成応答（Create  Session  Response）信号４１４を送信する。ＳＧＷ２００´は、ＭＭＥ２０８へセッション生成応答信号４１６を返却し、ＭＭＥ２０８はＵＥ１０４についての初期アタッチプロセスを完了する。
【００３２】
ＳＧＷ２００、ＩＷＰ２０４´及びＰＧＷ２０２´についてのアドレスがＰＭＩＰベースのホームネットワーク内の３ＧＰＰ  ＡＡＡサーバ２１４´において記憶されると、それらを同じＵＥに関連付けられる後続のアタッチメント手続のために再利用することができるようになる。例えば、ＵＥ１０４がＧＴＰベースの訪問先ネットワーク内の別の非３ＧＰＰセルへ移動した場合、図４の下半分に例示したハンドオーバアタッチメントシグナリング４１８に示したように、これら記憶されたアドレスが再利用され得る。
【００３３】
図中で、信号／ステップ４２０において、ＧＴＰベースの訪問先ネットワーク内の非３ＧＰＰ  ＧＷ２０６´により送信されるＵＥ１０４についての認証要求が３ＧＰＰ  ＡＡＡサーバ２１４´により受信されると、３ＧＰＰ  ＡＡＡサーバ２１４´は、以前に記憶したアドレスを取得し得る。より具体的には、図４に示したように、３ＧＰＰ  ＡＡＡサーバ２１４´は、信号４２０において、パケットデータ接続をサポートするために、ＵＥ１０４により以前に使用されたＩＷＰ２０４´、ＳＧＷ２００´及びＰＧＷ２０２´のアドレスを非３ＧＰＰ  ＧＷ２０６´へ送信することができる。１つの実施形態によれば、当該アドレスを、３ＧＰＰ  ＡＡＡプロキシサーバ２１２´によって非３ＧＰＰ  ＧＷ２０６へ、３ＧＰＰ  ＡＡＡプロキシサーバ２１２´と非３ＧＰＰ  ＧＷ２０６との間のＤＩＡＭＥＴＥＲインタフェースについての追加的なパラメータを用いて搬送することができる。そして、これらアドレスは、ハンドオーバアタッチメントプロセスの残りのために使用されることができる。例えば、非３ＧＰＰ  ＧＷ２０６´は、３ＧＰＰ  ＡＡＡサーバ２１４´から受信したＩＷＰアドレス及びＰＧＷアドレスを含むＰＢＵ信号４２２を生成し及びＳＧＷ２００´に向けて送信することができる。ＳＧＷ２００´のアドレスもまた、認証手続４２０の際に受信される。
【００３４】
そして、ＳＧＷ２００´は、ＰＢＵ信号４２２において受信したアドレスを有するＩＷＰ２０４´に向けて、セッション生成要求信号４２４を生成し及び送信することができる。セッション生成要求信号４２４は、このインターワーキングプロセスのために使用すべきＰＧＷ２０２´のアドレスを含み、当該ＰＧＷアドレスは、ＰＢＵ信号４２２´内に含まれていたものである。ＩＷＰ２０４´は、使用することを支持されたＰＧＷ２０２´に向けて、自身のＰＢＵ信号４２６を生成し及び送信する。よって、本実施形態では、ＩＷＰ２０４´は、ＰＧＷの選択について責任を有しない。ＰＧＷ２０４´は、信号４２８を介して通常のやり方でＨＳＳ／３ＧＰＰ  ＡＡＡサーバ２１０´、２１４´を更新し、上述したやり方と同様にして、信号４３０〜４３４を介してセッションのセットアップは完了される。
【００３５】
なお、インターワーキングの目的のためのこの記憶されたＰＧＷ、ＩＷＰ及びＳＷＰアドレスの再利用をハンドオーバアタッチメント４１８の観点で説明したが、図４に例示したプロセスは、ＰＭＩＰベースの又はＧＴＰベースのネットワークであるホームネットワークを有していて、それぞれＧＴＰベース又はＰＭＩＰベースののネットワークにローミングしているＵＥのために確立されるべきいかなる後続のデータ接続のためにも使用されることができ、そのためにアドレスのセットはホーム３ＧＰＰ  ＡＡＡサーバ２１４´又はＨＳＳ２１０´内に前もって記憶される。
【００３６】
第２の実施形態によれば、記憶されたＰＧＷアドレスがセッション生成要求信号の一部としてＩＷＰ２０４´へ転送されるという例えばプッシュ型の実施形態の代わりに、ＩＷＰ２０４´は、例えばプル型の実施形態として、記憶されたＰＧＷアドレスをインターワーキングプロセスにおける使用のために取得することができる。この第２の実施形態もまた、訪問先システム及びホームシステムにおいて関与するＩＰモビリティプロトコルが異なっていたとしても、ハンドオーバされるデータ接続のために同じＰＧＷ２０２´を使用することを可能とする。
【００３７】
本実施形態に関連付けられるシグナリング図が、図５に例示されている。その中で、例えばＧＴＰベースの訪問先ネットワークにローミングしている最中に電源が入れられたＵＥ１０４のための初期アタッチメントプロセス５００は、図４の実施形態に関して上述した初期アタッチプロセス４００と同様である。これに応じて、図のその部分については、図５において同様の参照番号が使用されており、前のそのシグナリングの説明を参照することとして、ここでは繰り返さない。
【００３８】
但し、同じＵＥ１０４の後続のハンドオーバアタッチメント５０２については、第２の実施形態に係るシグナリング及びプロセスは、第１の実施形態とはいくらか異なる。例えば、認証プロセス５０４の間に、ＰＭＩＰベースのホームネットワークの３ＧＰＰ  ＡＡＡサーバ２１４´は、ハンドオーバのために認証されつつあるＵＥ１０４に関連付けられる以前に記憶されたＳＧＷ及びＩＷＰアドレスを取得して転送するが、ＰＧＷアドレスについてはそうしない。非３ＧＰＰ  ＧＷ２０６´は、受信したＳＧＷアドレスを用いてＰＢＵ５０６を生成し、ホームネットワークから受信したＩＷＰアドレスを含むＰＢＵ５０６を送信する。ＳＧＷ２００´は、受信したＩＷＰアドレスを用いてセッション生成要求メッセージ５０８を生成し、識別されたＩＷＰ２０４´に向けて送信する。
【００３９】
ＰＧＷ２０２´を自身で選択する代わりに、本実施形態に係るＩＷＰ２０４´は、当該特定のＵＥ１０４についてのインターワーキングのために使用されるべきＰＧＷのアドレスを、（単一の矢印５１０として図示されている要求及び応答を含む）シグナリング５１０を介して３ＧＰＰ  ＡＡＡサーバ２１４´から取得する。３ＧＰＰ  ＡＡＡサーバ２１４´は、以前に初期アタッチ手続５００の際に記憶されたＵＥ１０４についてのＰＧＷアドレスを取得し、当該ＰＧＷアドレスをＩＷＰ２０４´へ返却する。ＩＷＰ２０４´は、受信したＰＧＷアドレスを用いてＰＢＵメッセージ５１２を生成し、ＰＧＷ２０２´に向けて送信して、当該ローミングＩＰアクセスのためのＰＭＩＰセッションを確立する。ＰＧＷ２０２´は、信号５１４を介して通常のやり方でＨＳＳ／３ＧＰＰ  ＡＡＡサーバ２１０´、２１４´を更新し、上述したやり方と同様にして、信号５１６〜５２０を介してセッションのセットアップは完了される。
【００４０】
ＩＷＰ２０４´が３ＧＰＰ  ＡＡＡサーバ２１４´からＰＧＷアドレスを取得することを可能とするために、例えばＳ６ｂインタフェースあるいはリファレンスポイントなどの新たなインタフェース６００を、図６に示したように、訪問先ネットワーク内でＩＷＰ２０４´と３ＧＰＰ  ＡＡＡプロキシサーバ２１２´の間に提供することができる。よって、図５に示したシグナリング５１０を、プロキシサーバ２１２´を介して実装することができる。
【００４１】
上述した第１及び第２の実施形態は、非３ＧＰＰのハンドオーバアタッチメントのシナリオを描いているが、これら２つの実施形態は、対応する３ＧＰＰアクセスのケースにも使用されることができる。認証の際に、３ＧＰＰ  ＡＡＡサーバ２１４´は、静的に構成されるＩＷＰアドレス及び記憶されるＰＧＷアドレスをＭＭＥ２０８´へ送信することができる。第１の実施形態に係る追加のＩＷＰアドレス情報は、Ｄｉａｍｅｔｅｒインタフェース及びＰＭＩＰインタフェースにおいて既に触れた追加的なパラメータを用いて当該情報をＩＷＰ２０４´へ受け渡すことにより、提供され得る。その代わりに、第２の実施形態によれば、ＩＷＰ２０４´は、新たなＳ６ｂのようなネットワークリファレンスポイント及び３ＧＰＰプロキシサーバ２１２´を介して、３ＧＰＰ  ＡＡＡサーバ２１４´からＰＧＷアドレスを引き出す（取得する）ことができる。
【００４２】
第１及び第２の実施形態において、初期アタッチフェーズにおいて使用される第１のＩＷＰ２０４´は、ハンドオーバアタッチフェーズにおいて使用される第２のＩＷＰ２０４´と同じであってもよく又は異なってもよい。それは、初期アタッチフェーズの際に選択されたＰＧＷ２０２のアドレスが第２のＩＷＰ２０４´に提供されることによって、データ接続について同じＩＰアドレスが保証されるためである。しかしながら、３ＧＰＰアクセス及び非３ＧＰＰアクセスのケースの双方についての第３の実施形態では、特定のＵＥに関連付けられるパケットデータ接続又はＩＰ接続は、好適には、同じＩＷＰ２０４´を通じてルーティングされる。これは、３ＧＰＰトラフィック及び非３ＧＰＰトラフィックの双方を含む。図７及び図８は、この第３の実施形態を採用するインターワーキングアーキテクチャを例示しており、異なるＰＭＩＰ及びＧＴＰプロトコルの参照が、インターワーキングされるシステムにより使用されているプロトコルに関わらず、同じＩＷＰ２０４´を通じてＩＰ接続がルーティングされることを示している。そのため、このアーキテクチャでは、ＩＷＰ２０４´は、ＧＴＰ−ＰＭＩＰトラフィックのみならずＰＭＩＰ−ＰＭＩＰトラフィックのためのプロキシにもなる。ｖＰＬＭＮにおいて、ＩＷＰ２０４´は、初期アタッチメント及びハンドオーバアタッチメントについて、常にＰＧＷ２０２´として選択されることができる。ｈＰＬＭＮにおいて、ＩＷＰ２０４´は、初期アタッチメントにて新たなＰＧＷ２０２´を選択することができる。ハンドオーバアタッチメントでは、典型的には、第２のＰＧＷの選択を実行する必要はない。なぜならば、ＩＷＰ２０４´は、初期アタッチフェーズの際にどのＰＧＷ２０２´が接続されたかを知っており、従って、外部信号を介してＰＧＷ２０２´のアドレスを受信することなく、ハンドオーバされるデータ接続を継続するために同じＰＧＷ２０２´が使用され、それにより当該接続に関連付けられるＩＰアドレスも保たれることを保証できるからである。
【００４３】
図９のシグナリング図は、この第３の実施形態に従ってシグナリングをどのように実行することができるかの例を提供する。その中で、３ＧＰＰ  ＡＡＡサーバ２１４´は、シグナリング９０２を介してＭＭＥ２０８´へＳＧＷアドレス及びＩＷＰアドレスを返却するが、ＰＧＷアドレスは返却しない。ＭＭＥ２０８´によって、受信されたＳＧＷアドレスは、セッション生成要求メッセージ９０３を生成してＳＧＷ２００´に向けて送信するために使用される。ＩＷＰアドレス情報は、セッション生成要求メッセージ９０４に含められる。ＳＧＷ２００´によって、受信されたＩＷＰアドレスは、セッション生成要求信号９０６を生成してＩＷＰ２０４´に向けて送信するために使用される。
【００４４】
ＩＷＰ２０４´は、信号９０６の受信後に、そのＩＷＰアドレスで３ＧＰＰ  ＡＡＡサーバ２１４´を更新するために、信号９０８を送信する。なお、このステップ／信号は、第１及び第２の実施形態（並びに上で示した標準文書において説明されている従来技術）に対して、ＰＧＷ２０２´よりもむしろＩＷＰ２０４´がＡＡＡサーバ及び／又はＨＳＳの更新を実行している点で相違しており、これは、本実施形態においてパケットデータ接続又はＩＰ接続の全てが、ＧＴＰ／ＰＭＩＰインターワーキングについてのニーズが存在するか否かに関わらず、ＩＷＰ２０４´を通じてルーティングされるためである。よって、３ＧＰＰ  ＡＡＡサーバ２１４´は、ＰＧＷ２０２´のアドレスではなくＩＷＰ２０４´のアドレスを知っていなければならない。
【００４５】
ＩＷＰ２０４´は、ＰＧＷ選択を実行し、そして、ＰＭＩＰセッションを確立するために、ＰＢＵメッセージ９１０を生成して、選択したＰＧＷ２０４´へ送信する。選択されたＰＧＷ２０２´は、ＰＢＡメッセージ９１２で応答し、それに応じて、ＩＷＰ２０４´は、ＳＧＷ２００´へセッション生成応答メッセージ９１４を送信する。すると、ＳＧＷ２００´は、セッション生成応答メッセージ９１６をＭＭＥ２０８´へ送信する。
【００４６】
この第３の実施形態において、図９の下の部分から理解されるように、ハンドオーバアタッチ９１８について、ホームネットワークの３ＧＰＰ  ＡＡＡサーバ２１４´は、ＳＧＷアドレス及びＩＷＰアドレスを非３ＧＰＰ  ＧＷ２０６´へ返却する。非３ＧＰＰ  ＧＷ２０６´によって、受信されたＳＧＷアドレスは、ＰＢＵメッセージ９２２を送信するために使用される。ＩＷＰアドレス情報は、ＰＢＵメッセージ９２２に含められる。ＳＧＷ２００´は、ＰＢＵメッセージ９２２を受信すると、ＰＢＵメッセージ９２２内で受信したＩＷＰアドレスを用いて、セッション生成要求メッセージ９２４を生成してＩＷＰ２０４´に向けて送信する。ＩＷＰ２０４´は、初期アタッチフェーズの際にＰＧＷ２０２´を選択し、当該初期アタッチフェーズの際にＩＷＰ２０４´とＰＧＷ２０２´との間で確立されたＰＭＩＰトンネルを維持してきたため、このＵＥのＩＰ接続についてどのＰＧＷ２０２´を再利用すべきかを知っている。ＩＷＰ２０４´は、オプションとして、ＰＢＵメッセージ９２６を生成し及び送信してＰＧＷ２０２´を更新してもよく、その場合、ＰＧＷ２０２´はＰＢＡメッセージ９２８で応答することができる。オプションとしてのＰＧＷ２０２´の更新を伴うか伴わないかによらず、ハンドオーバアタッチプロセス９１８は、上述した応答／確認信号９３０により完了される。
【００４７】
上述した内容から、図７〜図９に例示した第３の実施形態の利用が、既存のいかなる３ＧＰＰインタフェースへの影響も回避する実装を可能とすることが、当業者により理解されるであろう。そうした実施形態では、ＩＷＰ２０４´は、ＭＭＥ２０８´によって又は非３ＧＰＰアクセスＧＷ２０６´によって、常にＰＧＷアドレスとして選択されることができる。この選択は、例えば、ＭＭＥ２０８´によるＤＮＳクエリの利用を通じて達成されることができる。初期アタッチメントの際に、ＩＷＰ２０４´において、新たなＰＧＷ２０２´を選択することができる。アタッチメントが３ＧＰＰアタッチメントである場合、ＭＭＥ２０８´は、このプロキシのケースではＩＷＰアドレスである選択されたＰＧＷアドレスで、ＨＳＳ２１０´を更新することができる。初期アタッチメントが非３ＧＰＰアタッチメントである場合、ＩＷＰ２０４´は、存在するＳ６ｂインタフェース上で自身の識別情報で３ＧＰＰ  ＡＡＡサーバ２１４´を更新することができる。アクセス間ハンドオーバの際には、ＨＳＳ／ＡＡＡ２１０´、２１４´により選択されるＰＧＥアドレスとして、ＩＷＰアドレスを、ターゲットアクセスへ送信することができる。ＩＷＰ２０４´におけるハンドオーバアタッチメント要求の受信後に、ＩＷＰ２０４´は、ＵＥのバインディングを更新し、オプションとして、必要ならばＰＧＷ２０２´を更新することができる。
【００４８】
当業者であれば、ＵＥセッションが現行のＰＧＷノードとの間で確立されることを上で概説した仕組みが許容することを理解するであろう。この仕組みを、３ＧＰＰ及び非３ＧＰＰの連結されているケースの双方において使用することができる。様々な手段が、既存のプロトコル及びインタフェースへの影響を最小限にしてその機能性を提供し、及び既存の３ＧＰＰ／非３ＧＰＰアタッチ／デタッチ手続の再利用を可能とする。
【００４９】
上述した実施形態には、他のノードの中でもとりわけＩＷＰノード２０４が関与し、ＩＷＰノード２０４は、例えば図１０に例示したエレメントを含むことができる。図中で、ＩＷＰノード１０００は、上述したようにＰＭＩＰベースのネットワークとＧＴＰベースのネットワークとの間のインターワーキングを実行するためのものである。ＩＷＰノード１０００は、例えば、ＰＭＩＰベースのネットワーク及びＧＴＰベースのネットワークのうちの訪問先の方へのユーザ機器の接続のための初期アタッチプロセスに関連付けられる機能を実行するように構成されることができるプロセッサ１００２を含む。初期アタッチプロセスは、ＰＭＩＰベースのネットワーク及びＧＴＰベースのネットワークのうちのホームの方におけるパケットゲートウェイ（ＰＧＷ）の選択を含む。プロセッサ１００２は、初期アタッチプロセスの際にＩＷＰとＰＧＷとの間で確立される接続を維持し及び再利用することにより、同じＰＧＷを用いて、ＰＭＩＰベースのネットワーク及びＧＴＰベースのネットワークのうち訪問先の方におけるユーザ機器のためのハンドオーバアタッチプロセスに関連付けられる機能を実行するように、さらに構成される。ＩＷＰノード１０００は、例えばＰＧＷ２０２´及びＳＧＷ２００´などの他のノードと通信するために使用される１つ以上のインタフェース１００４をも含むことができる。記憶デバイス１００６は、上述したＩＷＰの機能性に関連付けられるデータ及び／又はプログラム命令を記憶するために、プロセッサ１００２に接続され得る。
【００５０】
そうした機能は、例えば図１１のフローチャートに示したような一実施形態に係る、ＰＭＩＰベースのネットワークとＧＴＰベースのネットワークとの間のインターワーキングのための方法を含み得る。図中で、ステップ１１００において、ＰＭＩＰベースのネットワーク及びＧＴＰベースのネットワークのうち訪問先の方へのユーザ機器の接続のために、初期アタッチプロセスがＩＷＰによって実行され、初期アタッチプロセスは、ＰＭＩＰベースのネットワーク及びＧＴＰベースのネットワークのうちホームの方におけるＰＧＷのＩＷＰによる選択を含む。ステップ１１０２において、初期アタッチプロセスの際にＩＷＰとＰＧＷとの間で確立される接続を維持し及び再利用することにより、同じ前記ＰＧＷを用いて、ＰＭＩＰベースのネットワーク及びＧＴＰベースのネットワークのうち訪問先の方におけるユーザ機器に関連付けられるハンドオーバアタッチプロセスが、ＩＷＰによって実行される。
【００５１】
ＰＭＩＰベースのネットワークとＧＴＰベースのネットワークとの間のインターワーキングのための他の方法が、図１２のフローチャートに示されている。図中で、ステップＳ１２００において、ＩＷＰによって、ＰＭＩＰベースのネットワーク及びＧＴＰベースのネットワークのうちホームの方における、ユーザ機器のための初期アタッチプロセスについて使用されたものと同じＰＧＷを、ＩＷＰにおいて当該ＰＧＷに関連付けられるアドレスを外部信号を介して受信することにより用いて、ＰＭＩＰベースのネットワーク及びＧＴＰベースのネットワークのうち訪問先の方において動作するユーザ機器に関連付けられるハンドオーバアタッチプロセスが実行される。
【００５２】
機械読取可能な媒体（具現化されるコンピュータ読取可能なプログラムコードを有する、コンピュータ読取可能な媒体、プロセッサ読取可能な媒体、又はコンピュータにより使用可能な媒体ともいう）に記憶されるソフトウェア製品として、実施形態は表現されてもよい。機械読取可能な媒体は、ディスケット、ＣＤ−ＲＯＭ（compact  disk  read  only  memory）、ＤＶＤ−ＲＯＭ（digital  versatile  disc  read  only  memory）メモリデバイス（揮発性若しくは不揮発性）、又は同様の記憶メカニズムを含む、磁気的、光学的又は電気的な記憶媒体を含むいかなる適した有形の媒体であってもよい。機械読取可能な媒体には、実行された場合に本発明の一実施形態に係る方法内のステップをプロセッサに行わせる、命令、コードシーケンス、設定情報又は他のデータの様々なセットが格納され得る。当業者であれば、説明された発明を実装するために必要とされる他の命令及び動作が機械読取可能な媒体に記憶されてもよいことを理解するであろう。機械読取可能な媒体から実行されるソフトウェアは、説明されたタスクを実行するための回路とインタフェースされてもよい。
【００５３】
本発明の上述した実施形態は、単に例として意図される。ここに添付される特許請求の範囲によってのみ定義される本発明の範囲から外れることなく、当業者によって、変形例、修正例及びバリエーションが特定の実施形態に関してもたらされ得る。
【図１】
2013520064.tif 000003
【図２】
2013520064.tif 000004
【図３】
2013520064.tif 000005
【図４】
2013520064.tif 000006
【図５】
2013520064.tif 000007
【図６】
2013520064.tif 000008
【図７】
2013520064.tif 000009
【図８】
2013520064.tif 000010
【図９】
2013520064.tif 000011
【図１０】
2013520064.tif 000012
【図１１】
2013520064.tif 000013
【図１２】
2013520064.tif 000014
【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
プロキシモバイルＩＰ（ＰＭＩＰ）ベースのネットワークとＧＰＲＳトンネリングプロトコル（ＧＴＰ）ベースのネットワークとの間でインターワーキングするための方法であって、
訪問先ネットワークへのユーザ機器（ＵＥ）の初期アタッチプロセスの際の、前記ＵＥに関連付けられるホームネットワーク内のインターワーキングプロキシ機能（ＩＷＰ）によるパケットゲートウェイ（ＰＧＷ）の選択に続いて、
前記ＰＧＷによって、前記ＩＷＰから、ＩＷＰ−ＰＧＷ接続の確立を要求するプロキシバインディング更新（ＰＢＵ）を受信することと、
前記ＰＧＷから認証、承認及びアカウンティング（ＡＡＡ）／ホーム加入者サーバ（ＨＳＳ）サーバへ、前記ＩＷＰに関連付けられるアドレス及び前記ＰＧＷに関連付けられるアドレスを、前記ＡＡＡ／ＨＳＳサーバによる記憶のために送信して、前記初期アタッチプロセスの際に確立された前記ＩＷＰ−ＰＧＷ接続の再利用を、前記ＵＥに関連付けられる後続するアタッチプロセスの際に可能とすることと、
を含み、
前記ホームネットワークは、前記ＰＭＩＰベースのネットワーク及び前記ＧＴＰベースのネットワークの一方であり、前記訪問先ネットワークは、前記ＰＭＩＰベースのネットワーク及び前記ＧＴＰベースのネットワークの他方である、
方法。
【請求項２】
前記後続するアタッチは、前記ホームネットワークへの前記ＵＥのハンドオーバアタッチである、請求項１に記載の方法。
【請求項３】
前記ホームネットワーク及び前記訪問先ネットワークの一方は、非３ＧＰＰアクセスネットワークである、請求項１に記載の方法。
【請求項４】
前記ＩＷＰと前記ＰＧＷとの間に形成されるデータセッションは、前記後続するアタッチの際に維持され及び再利用される、請求項１に記載の方法。
【請求項５】
前記ＩＷＰに関連付けられる前記アドレス及び前記ＰＧＷに関連付けられる前記アドレスは、ＩＰアドレスである、請求項１に記載の方法。
【請求項６】
パケットゲートウェイ（ＰＧＷ）であって、
訪問先ネットワークへのユーザ機器（ＵＥ）の初期アタッチプロセスの際に、ホームネットワーク内のインターワーキングプロキシ機能（ＩＷＰ）から、ＩＷＰ−ＰＧＷ接続の確立を要求するプロキシバインディング更新（ＰＢＵ）を受信し、
認証、承認及びアカウンティング（ＡＡＡ）／ホーム加入者サーバ（ＨＳＳ）サーバへ、前記ＩＷＰに関連付けられるアドレス及び前記ＰＧＷに関連付けられるアドレスを、前記ＡＡＡ／ＨＳＳサーバによる記憶のために送信して、前記初期アタッチプロセスの際に確立された前記ＩＷＰ−ＰＧＷ接続の再利用を、前記ＵＥに関連付けられる後続するアタッチプロセスの際に可能とする、
ために適合され、
前記訪問先ネットワークは、プロキシモバイルＩＰ（ＰＭＩＰ）ベースのネットワーク及びＧＰＲＳトンネリングプロトコル（ＧＴＰ）ベースのネットワークの一方であり、前記ホームネットワークは、前記ＰＭＩＰベースのネットワーク及び前記ＧＴＰベースのネットワークの他方である、
パケットゲートウェイ。
【請求項７】
前記ＵＥに関連付けられるホームネットワーク及び前記訪問先ネットワークの一方は、非３ＧＰＰアクセスネットワークである、請求項６に記載のＰＧＷ。
【請求項８】
前記後続するアタッチは、前記訪問先ネットワークから前記ＵＥに関連付けられるホームネットワークへの前記ＵＥのハンドオーバアタッチである、請求項６に記載のＰＧＷ。
【請求項９】
前記ホームネットワークは、ＰＭＩＰベースのネットワーク及びＧＴＰベースのネットワークの一方であり、前記訪問先ネットワークと同じでないタイプのネットワークである、請求項８に記載のＰＧＷ。
【請求項１０】
前記ＩＷＰと前記ＰＧＷとの間に形成されるデータセッションは、前記他方のネットワークへの前記後続するアタッチの際に維持され及び再利用される、請求項６に記載のＰＧＷ。
【請求項１１】
前記ＩＷＰに関連付けられる前記アドレス及び前記ＰＧＷに関連付けられる前記アドレスは、ＩＰアドレスである、請求項６に記載のＰＧＷ。
【請求項１２】
プロキシモバイルＩＰ（ＰＭＩＰ）ベースのネットワークとＧＰＲＳトンネリングプロトコル（ＧＴＰ）ベースのネットワークとの間でインターワーキングするための方法であって、
訪問先ネットワークへのユーザ機器（ＵＥ）の初期アタッチプロセスの際の、前記ＵＥに関連付けられるホームネットワーク内のインターワーキングプロキシ機能（ＩＷＰ）によるパケットゲートウェイ（ＰＧＷ）の選択に続いて、
認証、承認及びアカウンティング（ＡＡＡ）／ホーム加入者サーバ（ＨＳＳ）サーバによって、選択された前記ＰＧＷから、前記ＩＷＰに関連付けられるアドレス及び前記ＰＧＷに関連付けられるアドレスを受信することと、
前記ＡＡＡ／ＨＳＳサーバによって、受信した前記ＩＷＰに関連付けられる前記アドレス及び前記ＰＧＷに関連付けられる前記アドレスを記憶することと、
前記ＵＥ及び第２の訪問先ネットワークに関連付けられる後続するアタッチプロセスの際に、前記ＡＡＡ／ＨＳＳサーバから前記第２の訪問先ネットワーク内のＰＧＷへ、選択された前記ＰＧＷから受信された前記ＰＧＷに関連付けられる前記アドレス及び前記ＩＷＰに関連付けられる前記アドレスを送信して、それぞれの前記アドレスに関連付けられる前記ＰＧＷ及び前記ＩＷＰの間のデータセッションの再利用を可能とすることと、
を含み、
前記ホームネットワークは、前記ＰＭＩＰベースのネットワーク及び前記ＧＴＰベースのネットワークの一方であり、前記訪問先ネットワークは、前記ＰＭＩＰベースのネットワーク及び前記ＧＴＰベースのネットワークの他方である、
方法。
【請求項１３】
前記後続するアタッチは、前記第２の訪問先ネットワークへの前記ＵＥのハンドオーバアタッチである、請求項１２に記載の方法。
【請求項１４】
前記第２の訪問先ネットワークへの前記ＵＥの前記後続するアタッチの間、前記ＡＡＡ／ＨＳＳサーバは、認証手続の際に前記ＩＷＰに関連付けられる前記アドレスを前記第２の訪問先ネットワークのゲートウェイへ送信し、前記ＰＧＷに関連付けられる前記アドレスを前記ＩＰＷへ前記後続するアタッチを遂行するために送信する、請求項１２に記載の方法。
【請求項１５】
認証、承認及びアカウンティング（ＡＡＡ）／ホーム加入者サーバ（ＨＳＳ）サーバであって、
訪問先ネットワークへのユーザ機器（ＵＥ）の初期アタッチプロセスの際に、パケットゲートウェイ（ＰＧＷ）から、前記ＵＥに関連付けられるホームネットワーク内のインターワーキングプロキシ機能（ＩＷＰ）に関連付けられるアドレス及び前記ＰＧＷに関連付けられるアドレスを受信し、
受信した前記ＩＷＰに関連付けられる前記アドレス及び前記ＰＧＷに関連付けられる前記アドレスを記憶し、
第２の訪問先ネットワークへの前記ＵＥの後続するアタッチプロセスの際に、前記第２の訪問先ネットワーク内のＰＧＷへ、受信された前記ＩＷＰに関連付けられる前記アドレス及び受信された前記ＰＧＷに関連付けられる前記アドレスを送信して、データセッションの確立のために同じ前記ＩＷＰ及び同じ前記ＰＧＷの前記第２の訪問先ネットワークによる後続する選択に供する、
ために適合され、
前記訪問先ネットワークは、プロキシモバイルＩＰ（ＰＭＩＰ）ベースのネットワーク及びＧＰＲＳトンネリングプロトコル（ＧＴＰ）ベースのネットワークの一方であり、前記ホームネットワークは、前記ＰＭＩＰベースのネットワーク及び前記ＧＴＰベースのネットワークの他方である、
ＡＡＡ／ＨＳＳサーバ。
【請求項１６】
前記後続するアタッチは、前記第２の訪問先ネットワークへの前記ＵＥのハンドオーバアタッチである、請求項１５に記載のＡＡＡ／ＨＳＳサーバ。
【請求項１７】
前記サーバは、前記第２の訪問先ネットワークへの前記ＵＥの前記後続するアタッチの間、認証手続の際に前記ＩＷＰに関連付けられる受信された前記アドレスを前記第２の訪問先ネットワークのゲートウェイへ送信し、前記ＰＧＷに関連付けられる受信された前記アドレスを前記ＩＰＷへ前記後続するアタッチを遂行するために送信するようにさらに適合される、請求項１５に記載のＡＡＡ／ＨＳＳサーバ。
【請求項１８】
プロキシモバイルＩＰ（ＰＭＩＰ）ベースのネットワークとＧＰＲＳトンネリングプロトコル（ＧＴＰ）ベースのネットワークとの間でインターワーキングするための方法であって、
アクセスゲートウェイによって、ネットワークへのアタッチの認証手続の間に、インターワーキングプロキシ（ＩＷＰ）の識別子及びパケットゲートウェイ（ＰＧＷ）の識別子を受信することと、
前記アクセスゲートウェイからサービングゲートウェイ（ＳＧＷ）へ、前記ＩＷＰの識別子及び前記ＰＧＷの識別子を含むプロキシバインディング更新（ＰＢＵ）要求を送信することと、
を含み、
前記ＩＷＰの識別子及び前記ＰＧＷの識別子は、データセッションを確立するための、前記ＳＧＷによる、前記ＩＷＰの識別子により識別されるＩＷＰの選択と、前記ＰＧＷの識別子により識別される前記ＰＧＷの選択とを可能にする、
方法。
【請求項１９】
アクセスゲートウェイであって、
ネットワークへのアタッチの認証手続の間に、インターワーキングプロキシ（ＩＷＰ）の識別子及びパケットゲートウェイ（ＰＧＷ）の識別子を受信するように適合され、
前記ゲートウェイは、さらに、データセッションを確立するために、
サービングゲートウェイ（ＳＧＷ）へ、前記ＩＷＰの識別子及び前記ＰＧＷの識別子を含むプロキシバインディング更新（ＰＢＵ）要求を送信するように適合され、
前記ＩＷＰの識別子及び前記ＰＧＷの識別子は、前記ＳＧＷによる、前記ＩＷＰの識別子により識別されるＩＷＰの選択と、前記ＰＧＷの識別子により識別される前記ＰＧＷの選択とを可能にする、
方法。
【請求項２０】
プロキシモバイルＩＰ（ＰＭＩＰ）ベースのネットワークとＧＰＲＳトンネリングプロトコル（ＧＴＰ）ベースのネットワークとの間でインターワーキングするための方法であって、
サービングゲートウェイ（ＳＧＷ）によって、ネットワークへのアタッチの認証手続の間に、インターワーキングプロキシ（ＩＷＰ）の識別子及びパケットゲートウェイ（ＰＧＷ）の識別子を受信することと、
前記ＳＧＷから受信された前記ＩＷＰの識別子を用いて、前記ＳＧＷから前記ＩＷＰの識別子により識別される前記ＩＷＰへ、前記ＰＧＷの識別子を含むデータセッション生成要求を送信することと、
を含む方法。
【請求項２１】
サービングゲートウェイ（ＳＧＷ）であって、
ネットワークへのアタッチの認証手続の間に、インターワーキングプロキシ（ＩＷＰ）の識別子及びパケットゲートウェイ（ＰＧＷ）の識別子を受信するように適合され、
前記ＳＧＷはさらに、前記ＳＧＷから受信された前記ＩＷＰの識別子を用いて、前記ＩＷＰの識別子により識別される前記ＩＷＰへ、前記ＰＧＷの識別子を含むデータセッション生成要求を送信するように適合される、
ＳＧＷ。
【請求項２２】
プロキシモバイルＩＰ（ＰＭＩＰ）ベースのネットワークとＧＰＲＳトンネリングプロトコル（ＧＴＰ）ベースのネットワークとの間でインターワーキングするための方法であって、
前記ＰＭＩＰベースのネットワーク及び前記ＧＴＰベースのネットワークのうち訪問先の方へのユーザ機器（ＵＥ）の初期アタッチの際に、
インターワーキングプロキシ（ＩＷＰ）によって、データセッションを生成するための要求を受信することと、
前記データセッションを生成するために、パケットゲートウェイ（ＰＧＷ）を選択することと、
前記ＩＷＰからら認証、承認及びアカウンティング（ＡＡＡ）／ホーム加入者サーバ（ＨＳＳ）サーバへ、前記ＩＷＰの識別子を送信することと、
を含み、
前記ＩＷＰの識別子は、他のネットワークへのＵＥの後続するアタッチメントを遂行するために、前記ＡＡＡ／ＨＳＳサーバにより記憶されるために送信される、
方法。
【請求項２３】
前記他のネットワークへの同じ前記ＵＥの後続するアタッチの際に、データセッションをセットアップするための他の要求を、同じ前記ＩＷＰによって受信することと、
当該データセッションをセットアップするために、当該ＩＷＰによって同じ前記ＰＧＷを選択することと、
をさらに含む、請求項２２に記載の方法。
【請求項２４】
前記後続するアタッチは、前記他のネットワークへの前記ＵＥのハンドオーバアタッチである、請求項２２に記載の方法。
【請求項２５】
前記他のネットワークは、非３ＧＰＰアクセスネットワークである、請求項２２に記載の方法。
【請求項２６】
前記他のネットワークへの前記後続するアタッチの間に、前記ＩＷＰと前記ＰＧＷとの間で、同じ前記データセッションが維持され及び再利用される、請求項２２に記載の方法。
【請求項２７】
インターワーキングプロキシ（ＩＷＰ）ノードであって、
プロキシモバイルＩＰ（ＰＭＩＰ）ベースのネットワーク及びＧＰＲＳトンネリングプロトコル（ＧＴＰ）ベースのネットワークのうち訪問先の方へのユーザ機器（ＵＥ）の初期アタッチの際に、データセッションを生成するための要求を受信し、前記データセッションを生成するために、パケットゲートウェイ（ＰＧＷ）を選択するように適合され、
前記ＩＷＰからら認証、承認及びアカウンティング（ＡＡＡ）／ホーム加入者サーバ（ＨＳＳ）サーバへ、前記ＩＷＰの識別子を送信するようにさらに適合され、
前記ＩＷＰの識別子は、他のネットワークへのＵＥの後続するアタッチメントを遂行するために、前記ＡＡＡ／ＨＳＳサーバにより記憶されるために送信される、
ＩＷＰノード。
【請求項２８】
前記他のネットワークへの同じ前記ＵＥの後続するアタッチの際に、データセッションをセットアップするための他の要求を受信し、当該データセッションをセットアップするために、同じ前記ＰＧＷを選択するようにさらに適合される、請求項２７に記載のＩＷＰノード。
【請求項２９】
前記後続するアタッチは、前記他のネットワークへの前記ＵＥのハンドオーバアタッチである、請求項２７に記載のＩＷＰノード。
【請求項３０】
前記他のネットワークは、非３ＧＰＰアクセスネットワークである、請求項２７に記載のＩＷＰノード。
【請求項３１】
前記他のネットワークへの前記後続するアタッチの間に、前記ＩＷＰと前記ＰＧＷとの間で、同じ前記データセッションが維持され及び再利用される、請求項２７に記載のＩＷＰノード。
【請求項３２】
プロキシモバイルＩＰ（ＰＭＩＰ）ベースのネットワークとＧＰＲＳトンネリングプロトコル（ＧＴＰ）ベースのネットワークとの間でインターワーキングするための方法であって、
前記ＰＭＩＰベースのネットワーク及び前記ＧＴＰベースのネットワークのうち訪問先の方へのユーザ機器（ＵＥ）の初期アタッチの際に、認証、承認及びアカウンティング（ＡＡＡ）／ホーム加入者サーバ（ＨＳＳ）サーバによって、インターワーキングプロキシ（ＩＷＰ）から、前記ＩＷＰの識別子を受信することと、
前記ＡＡＡ／ＨＳＳサーバによって、前記ＩＷＰの識別子を記憶することと、
他のネットワークへの前記ＵＥの後続するアタッチの際に、データセッションの確立のための前記他のネットワークによる同じ前記ＩＷＰの選択に供するために、前記ＡＡＡ／ＨＳＳサーバから前記他のネットワークへ、前記ＩＷＰの識別子を送信することと、
を含む方法。
【請求項３３】
前記後続するアタッチは、前記他のネットワークへの前記ＵＥのハンドオーバアタッチである、請求項３２に記載の方法。
【請求項３４】
前記他のネットワークは、非３ＧＰＰアクセスネットワークである、請求項３２に記載の方法。
【請求項３５】
前記他のネットワークへの前記ＵＥの前記後続するアタッチの際、前記ＡＡＡ／ＨＳＳサーバは、前記後続するアタッチを遂行するために、認証手続の間に前記他のネットワークのゲートウェイへ前記ＩＷＰの識別子を送信する、請求項３２に記載の方法。
【請求項３６】
前記他のネットワークへの前記後続するアタッチの間に、前記ＩＷＰと前記ＰＧＷとの間で、同じ前記データセッションが維持され及び再利用される、請求項３２に記載の方法。
【請求項３７】
認証、承認及びアカウンティング（ＡＡＡ）／ホーム加入者サーバ（ＨＳＳ）サーバであって、
プロキシモバイルＩＰ（ＰＭＩＰ）ベースのネットワーク及びＧＰＲＳトンネリングプロトコル（ＧＴＰ）ベースのネットワークのうち訪問先の方へのユーザ機器（ＵＥ）の初期アタッチの際に、インターワーキングプロキシ（ＩＷＰ）から、前記ＩＷＰの識別子を受信するように適合され、
前記ＡＡＡ／ＨＳＳサーバは、
前記ＩＷＰの識別子を記憶し、
他のネットワークへの前記ＵＥの後続するアタッチの際に、データセッションの確立のための前記他のネットワークによる同じ前記ＩＷＰの選択に供するために、前記ＩＷＰの識別子を送信する、
ようにさらに適合される、
ＡＡＡ／ＨＳＳサーバ。
【請求項３８】
前記後続するアタッチは、前記他のネットワークへの前記ＵＥのハンドオーバアタッチである、請求項３７に記載のＡＡＡ／ＨＳＳサーバ。
【請求項３９】
前記他のネットワークは、非３ＧＰＰアクセスネットワークである、請求項３７に記載のＡＡＡ／ＨＳＳサーバ。
【請求項４０】
前記サーバは、前記他のネットワークへの前記ＵＥの前記後続するアタッチの際、認証手続の間に前記他のネットワークのゲートウェイへ前記ＩＷＰの識別子を送信するようにさらに適合される、請求項３７に記載のＡＡＡ／ＨＳＳサーバ。
【請求項４１】
前記他のネットワークへの前記後続するアタッチの間に、前記ＩＷＰと前記ＰＧＷとの間で、同じ前記データセッションが維持され及び再利用される、請求項３７に記載のＡＡＡ／ＨＳＳサーバ。
【国際調査報告】
2013520064.tif 000015
2013520064.tif 000016